(57)【特許請求の範囲】
【請求項１】
ハンドル操作で連動回転するローターにベール支持部材を釣糸巻取り位置と釣糸放出位置とに反転自在に支持した魚釣用スピニングリールにおいて、スプール軸に軸方向に変位可能でかつスプールの内側に形成した係止部に係脱自在の係合部材を設けると共に該係合部材には常時は係合部材をスプールの係止部より離間するように付勢し釣糸投擲時にその慣性で係合部材が前記係止部に係合するようにした付勢部材を設けたことを特徴とする魚釣用スピニングリール。
【請求項２】
付勢部材にコイルスプリングを使用したことを特徴とする請求項１の魚釣用スピニングリール。
【請求項３】
付勢部材に磁石を使用したことを特徴とする請求項１記載の魚釣用スピニングリール。
【発明の詳細な説明】
【０００１】
【発明の属する技術分野】
本発明は魚釣用スピニングリールにおける釣糸放出装置の改良に関する。
【０００２】
【従来の技術】
ドラグ機構を有する魚釣用スピニングリールにおいて、ベール支持部材を反転させて釣糸の投擲操作を行う場合に、特に魚が掛かった時の糸切れを防止すべくドラグ力を弱い状態に設定し釣糸を指にかけて釣糸の放出操作を行っているが、その放出される瞬間に仕掛けの重量でスプールが回転し引出された釣糸によって指が傷付けられ負傷することがある。
【０００３】
そこでこの欠陥を防止するために、ベール支持部材の釣糸放出位置への反転操作に連動せしめて係合部材によりスプールの回転をロックするようにした釣糸放出装置が特開平９−１３５６５２号公報等で知られている。
【０００４】
【発明が解決しようとする課題】
しかしながら前記ロック方式においては、スプール軸に設けられた変位可能な係合部材の係止爪がベール支持部材の反転操作に連動してスプールに形成された係止部に係脱する構成であるため、ロック機構の構成が複雑となると共にその組込み操作も面倒となり組立作業を迅速容易に行うことができない等の問題点がある。
【０００５】
これらの現状に鑑み、本発明はこれらの問題点を改善して釣糸の投擲操作時による慣性力を利用してスプールの回転を簡易な手段でロックすると共に魚釣り操作時の対応性も向上するようにした魚釣用スピニングリールを提供することを目的とするものである。
【０００６】
【課題を解決するための手段】
本発明は前記目的を達成するために、ハンドル操作で連動回転するローターにベール支持部材を釣糸巻取り位置と釣糸放出位置とに反転自在に支持した魚釣用スピニングリールにおいて、スプール軸に軸方向に変位可能でかつスプールの内側に形成した係止部に係脱自在の係合部材を設けると共に該係合部材には常時は係合部材をスプールの係止部より離間するように付勢し釣糸投擲時にその慣性で係合部材が前記係止部に係合するようにした付勢部材を設けたことを特徴とするものであり、特に前記付勢部材としてコイルスプリングの付勢力を利用する場合と、磁石の吸引作用による付勢力を利用する場合とがある。
【０００７】
【発明の実施の形態】
本発明の実施の形態を実施例の図面について説明すると、魚釣用スピニングリールにおいてハンドルの回転操作と連動回転しリール本体１の前部に支持されたローター２には、公知のようにベール支持部材３が反転自在に軸着されると共に前記リール本体１にこれまた公知のようにハンドルの回転操作と連動して前後摺動するように支持されたスプール軸４が設けられ、該スプール軸４の前部にはドラグ機構５′を有するスプール５が取付けられている。
【０００８】
しかして前記スプール５の釣糸捲回胴部の後部には内底部に凹凸状係止部６を有する凹陥部７が形成され、該凹陥部７の開口部におけるスプール軸４には支持体８が固着され、該支持体８の前部には上端に係止爪９′を有する環状の係合部材９の下端が軸支されて係合部材９の係止爪９′がスプール軸方向に変位可能に設けられると共に該係合部材９の前側には前記スプールの凹陥部７の軸筒部７′に螺着されたコイルスプリングからなる付勢部材１０が当接付勢して係合部材９の係止爪９′を前記係止部６から離間せしめ、釣糸投擲時に働く慣性力によって係合部材９の係止爪９′がコイルスプリングの付勢部材１０の付勢力に抗して前方に変位して前記凹凸状係止部６に係合しスプール５の回転をロックするように構成されている。
【０００９】
本発明の実施例は上記のように構成されているから、ベール支持部材３を釣糸放出状態に反転すると共にドラグ機構５′のドラグ力を小さく弱く調節した状態に保持して釣糸を仕掛けと共に投擲すると、その投擲操作時に作用する瞬時の慣性力によって係合部材９は付勢部材１０の付勢力に抗してその係止爪９′が係止部６に係合しスプール５の回転をロックしてその回転を阻止し釣糸の放出による指の負傷を防止し、慣性力の消滅に伴い係合部材９の係止爪９′はコイルスプリングの付勢部材１０の付勢力で係止部６から離間するものである。
【００１０】
従って釣糸放出時の瞬間にスプール５は係合部材９でロックされることになり、釣糸放出後の直後に魚がヒットした場合でもドラグ状態への切換のタイムロスがなく、即時に設定ドラグ状態での魚釣り操作に迅速容易に対応でき、不要な糸切れや魚の口切れ等も確実に防止できる。
【００１１】
図７及び図８に示す実施例は、係合部材９の付勢力として、支持体８と係合部材９の対向部に吸引磁石１０′．１０′からなる付勢部材１０を設け、常時は磁石１０′．１０′の吸引付勢力で係合部材９の係止爪９′を係止部６より離間せしめ、投擲時の慣性力で磁石１０′．１０′の吸引付勢力に抗して係合部材９の係止爪９′を係止部６に係合せしめてスプール５をロックするように構成されたものである。
【００１２】
【発明の効果】
本発明は釣糸放出操作時において瞬時に作用する慣性力を利用してスプールの回転を釣糸放出時に瞬間的にロックするようにしたので、釣糸放出直後に魚がヒットした場合でもドラグ状態への切換え操作時のタイムロスがなく、即時に設定ドラグ状態での魚釣り操作に迅速容易に対応でき、不要な糸切れや魚の口切れ等を未然に防止することができる。
【００１３】
また本発明においては、従来方式のようなロック機構とベール反転機構との連動機構を必要とせず、ロック機構の各構成がスプール内に設置できるため、部品点数が少なく構成の簡易コンパクト化ができ、組立操作を容易にすることができと共に、不必要な抵抗がベール反転操作時に加わることがなく、釣糸巻取り状態から釣糸放出状態へ、又は釣糸放出状態から釣糸巻取り状態への切換操作を円滑容易に行うことができる。
【図面の簡単な説明】
【図１】本発明の正面図。
【図２】同一部切欠正面図。
【図３】同要部のスプール回転可能状態の縦断正面図。
【図４】同要部のスプール回転不能状態の縦断正面図。
【図５】図３のＡ−Ａ線断面図。
【図６】図３のＢ−Ｂ線断面図
【図７】本発明の第２実施例のスプール回転可能状態の縦断正面図。
【図８】同スプール回転不能状態の縦断正面図。
【符号の説明】
２  ローター
３  ベール支持部材
４  スプール軸
５  スプール
６  係止部
９  係合部材
１０  付勢部材
【図１】
0003540682.tif 000002
【図２】
0003540682.tif 000003
【図３】
0003540682.tif 000004
【図４】
0003540682.tif 000005
【図５】
0003540682.tif 000006
【図６】
0003540682.tif 000007
【図７】
0003540682.tif 000008
【図８】
0003540682.tif 000009